(57)【特許請求の範囲】
【請求項１】
下水マスの開口部の上方に設置可能になされた仮設トイレ用支柱体であって、
内部が中空の筒状物からなり、該筒状物の重量が上方から下方にかけて大きくなるように構成され、
使用時に、仮設トイレ用支柱体の上方部に便器部が設けられ、下方部から下水マスに対して、汚水等が排出されるように構成されたことを特徴とする仮設トイレ用支柱体。
【請求項２】
前記筒状物の中空断面の径が、上方から下方にかけて大きくなるようになされるように構成された、請求項１記載の仮設トイレ用支柱体。
【請求項３】
前記筒状物の中空断面の径が少なくとも３段階からなり、第一の筒状物の長さ（ａ）と、第二の筒状物及び第三の筒状物の長さの和（ｂ＋ｃ）との比が、４０：６０〜６０：４０である、請求項２記載の仮設トイレ用支柱体。
【請求項４】
前記第二の筒状物及び前記第三の筒状物の中空内部を前記第一の筒状物が下方向に延出し、前記第二の筒状物の上部で接触しながら前記第一の筒状物がスライド式に移動できる構造を備えた、請求項３記載の仮設トイレ用支柱体。
【請求項５】
請求項１〜４の何れかに記載の仮設トイレ用支柱体と、該支柱体を立設するためのリングと、からなる仮設トイレセット。
【請求項６】
内部が中空の筒状物からなり、該筒状物の重量が上方から下方にかけて大きくなるように構成された仮設トイレ用支柱体の底部を、下水マスの孔に差し込んだ設置用リングに対して嵌合させて該支柱体を立設させ、その上部に便器部を取り付けて構成された仮設トイレ。
【発明の詳細な説明】
【技術分野】
【０００１】
本発明は、設置が簡便で、且つ、漏れや詰まりがなく衛生的な仮設トイレ用の支柱体、及びこれを用いた仮設トイレに関する。
【背景技術】
【０００２】
従来、災害時等における被災者の排便処理の支障回避の必要性から、下水道マンホールを利用した仮設トイレが利用されている。
【０００３】
例えば、地震などの災害時や介護、レジャーなどの時にマンホール開口部へ確実に固定することができる仮設トイレの提供を目的として、マンホール開口部を閉塞する底基板と、該底基板の上部に設けられたトイレ本体とを有し、該底基板の外周の複数箇所に、マンホール開口部の内壁に接触するように下方に向けて延設した下方棒状体を設けるとともに、前記底基板の、下方棒状体を挿通する位置よりも内方に、前記マンホール開口部の内壁に突接するように斜め下方に向けて延設した斜め棒状体を設け、マンホール開口部を閉塞してその上方に固定した仮設トイレが提案されている（特許文献１）。
【０００４】
しかし、かかる仮設トイレは、マンホール開口部設置用途のため災害時等に設置が制限される場合が多く、また留め具等で開口部に固定しなければならないため設置が煩雑である。さらには、該仮設トイレの排尿管の構造上、詰まりや漏れ等のおそれがあり衛生面上の問題も懸念される。
【０００５】
近年、災害時等の緊急時以外にも、仮設トイレの利用が必要となることも多い。例えば、家庭や事業所の建設現場等では、仮設トイレが利用されるが、通常、ポリタンクを利用したタンク式簡易トイレにおいて、ポリタンクに汚水を溜めて逐次汚水を処理するのが現状であった。
【０００６】
家屋外の敷地内にある地面の下に施設される排水管路に設けられる排水マス（汚水マス又は下水マスとも呼ばれる）は、家庭や事業所からの排出汚水（雑排水、し尿等）を１箇所に集めて、下水道管に流し込むのに必要なものとして利用されている。このような下水マスの開口部の上方に仮設トイレを設置することで、上記のような逐次処理の必要がなくなるため、かかる仮設トイレが要望されていた。
【先行技術文献】
【特許文献】
【０００７】
【特許文献１】特開２０１５−６２４８０号公報
【発明の概要】
【発明が解決しようとする課題】
【０００８】
そこで、本発明は、設置が簡便で、且つ、漏れや詰まりがなく衛生的な仮設トイレ用の支柱体、及びこれを用いた仮設トイレを提供することを目的とする。
【課題を解決するための手段】
【０００９】
本発明者は、鋭意研究した結果、内部が中空の筒状物からなる特定構造の仮設トイレ用支柱体が、前記目的を達成し得ることの知見を得た。
【００１０】
本発明は、前記知見に基づきなされたもので、下記の発明を提供することにより、その目的を達成したものである。
【００１１】
１．下水マスの開口部の上方に設置可能になされた仮設トイレ用支柱体であって、
内部が中空の筒状物からなり、該筒状物の重量が上方から下方にかけて大きくなるように構成され、
使用時に、仮設トイレ用支柱体の上方部に便器部が設けられ、下方部から下水マスに対して、汚水等が排出されるように構成されたことを特徴とする仮設トイレ用支柱体。
【００１２】
２．前記筒状物の中空断面の径が、上方から下方にかけて大きくなるようになされるように構成された、前記１記載の仮設トイレ用支柱体。
【００１３】
３．前記筒状物の中空断面の径が少なくとも３段階からなり、第一の筒状物の長さ（ａ）と、第二の筒状物及び第三の筒状物の長さの和（ｂ＋ｃ）との比が、４０：６０〜６０：４０である、前記２記載の仮設トイレ用支柱体。
【００１４】
４．前記第二の筒状物及び前記第三の筒状物の中空内部を前記第一の筒状物が下方向に延出し、前記第二の筒状物の上部で接触しながら前記第一の筒状物がスライド式に移動できる構造を備えた、前記３記載の仮設トイレ用支柱体。
【００１５】
５．前記１〜４の何れかに記載の仮設トイレ用支柱体と、該支柱体を立設するためのリングと、からなる仮設トイレセット。
【００１６】
６．内部が中空の筒状物からなり、該筒状物の重量が上方から下方にかけて大きくなるように構成された仮設トイレ用支柱体の底部を、下水マスの孔に差し込んだ設置用リングに対して嵌合させて該支柱体を立設させ、その上部に便器部を取り付けて構成された仮設トイレ。
【発明の効果】
【００１７】
本発明によれば、設置が簡便で、且つ、漏れや詰まりがなく衛生的な仮設トイレ用の支柱体、及びこれを用いた仮設トイレを提供することができる。
【図面の簡単な説明】
【００１８】
【図１】本発明の一実施形態に係る仮設トイレ用支柱体及びこれを用いて組み立てられた仮設トイレを示す斜視図である。
【図２】図１の仮設トイレ用支柱体の構造の詳細と、これを用いて仮設トイレを下水マスの開口部上方に設置する際の立設の仕方を一部断面にして示す概略正面図である。
【図３】図１の仮設トイレ用支柱体の下方部を示す拡大底面斜視図である。
【図４】図１の仮設トイレ用支柱体を立設するためのリングの一実施形態を示す平面斜視図である。
【図５】図１の仮設トイレ用支柱体における下方部と該支柱体を立設するためのリングとを嵌合させた状態を示す概略拡大図である。
【図６】図１の仮設トイレ用支柱体を用いて組み立てられた仮設トイレを下水マスの開口部上方に立設した使用例を示す斜視図である。
【図７】本発明の他の実施形態に係る仮設トイレ用支柱体及びこれを用いて組み立てられた仮設トイレを示す斜視図並びに支柱体の一部がスライド式に可動であることを示す説明図である。
【発明を実施するための形態】
【００１９】
以下、本発明について、その好ましい実施形態に基づき詳細に説明する。
図１に示すように、本発明の一実施形態に係る仮設トイレ用支柱体１０は、仮設トイレを下水マスの開口部上方に設置する際に、該支柱体１０の下方部の底をリング２０と嵌合させるとともに、上方部の最上位に便器部３０を差し込んで使用される。
【００２０】
本実施形態の仮設トイレ用支柱体１０は、その内部が中空の筒状物からなり、該筒状物の重量が上方から下方にかけて大きくなるように構成されている。かかる構造の仮設トイレ用支柱体であれば、下水マスの開口部に対して、安定して立設させることができ、且つ衛生的に利用できる。また、留め具等による固定が不要で、設置を容易に行うことができる。
【００２１】
図２は、仮設トイレ用支柱体１０の構造の詳細と、仮設トイレ用支柱体１０を用いて、仮設トイレを下水マスの開口部上方に設置する際の立設の仕方を示すものである。
【００２２】
図２に示すように、本実施形態に係る仮設トイレ用支柱体１０の構造は、筒状物の中空断面の径が、上方から下方にかけて大きくなるようになされるように構成されており、より詳細には、筒状物の中空断面の同一径ごとに第一の筒状物１１と、第二の筒状物１２と、第三の筒状物１３の３段階からなるものである。仮設トイレ用支柱体１０の構造としては、このように筒状物の中空断面の径が上方から下方にかけて大きくなるように少なくとも３段階からなるものが好ましい。各段階の筒状物の節目は、汚水の流れがよくなるように、径が下方に従って徐々に大きくなるように傾斜を設けた構造となっている。
【００２３】
この場合、第一の筒状物１１の長さ（ａ）と、第二の筒状物１２及び第三の筒状物１３の長さの和（ｂ＋ｃ）との比は、４０：６０〜６０：４０であることが好ましい。また、第二の筒状物１２の長さ（ｂ）と第三の筒状物１３の長さ（ｃ）との比は、４０：６０〜６０：４０であることが好ましい。このような好ましい構造であると、汚水が筒状物の全体に亘って分散しつつ流れるため、目詰まりや漏れることがほとんど生ずることなく、より一層衛生的に利用できる。
【００２４】
また、第一の筒状物１１の中空断面の径（ｌ）と、第二の筒状物１２の中空断面の径（ｍ）と、第三の筒状物１３の中空断面の径（ｎ）との比は、１：１．５〜２．５：２〜４であることが好ましい。このような構造であると、仮設トイレを立設した際の安定性と漏れの防止等の衛生面とのバランス上好ましい。
【００２５】
仮設トイレ用支柱体１０には、その下方部の下側に、第三の筒状物１３の外径よりも小さい外径を有し、筒状のまま下方に突出する底部Ｂが設けられている（図３に図示）。仮設トイレ用支柱体１０における底部Ｂは、リング２０にぴったり適合するようになされている。これにより、仮設トイレ用支柱体１０を立設するためのリング２０を介して、下水マスの開口部Ｏに嵌め込み、さらに、上方部（第一の筒状物１１）の頭部に便器部３０を差し込むことで、仮設トイレを組み立てることができる。
【００２６】
リング２０の構造は、図４に示すように、内周が仮設トイレ用支柱体１０における第三の筒状物１３の外周の一部と嵌合し得る上部と、内周が仮設トイレ用支柱体１０の底部Ｂの外周（図３参照）と嵌合し得る下部とからなる構造となっている。このような構造のリング２０が使用されることにより、仮説トイレを立設した際の安定性を向上するとともにより衛生的に活用することができる。
【００２７】
これらを用いて組み立てることにより、図５に示すように、仮設トイレ用支柱体１０における下方部（１３）と該支柱体１０を立設するためのリング２０が嵌合した状態となる。
また、下水マスの開口部には、予めリングが設置されているところもある。このような場合には、前述のリング２０を使用せずに、本実施形態に係る仮設トイレ用支柱体１０をそのまま下水マスの開口部（リング付き）に嵌め込むことができる。
下水マスの開口部の径は、１５０ｍｍが一般的であるが、その他５０ｍｍ、３００ｍｍ、６００ｍｍ等のように種々のサイズがある。本実施形態に係る仮設トイレ用支柱体１０は、種々のサイズの開口部にも合わせられるように、第三の筒状物１３及び底部Ｂの大きさを調整でき、これに伴って他の部分の構造の大きさも調整することができる。従って、本実施形態に係る仮設トイレ用支柱体１０は、好ましくは４０〜６００ｍｍの範囲のマス開口部に対応できる構造を備えている。
【００２８】
本実施形態に係る仮設トイレ用支柱体１０の素材としては、特に制限されるものではないが、運搬の利便性等の観点から樹脂等の軽量の素材を用いることが好ましい。特に、汚水に触れることから、劣化を回避し得る強化樹脂からなるものであれば耐性の点でなお好ましい。リング２０の素材についても、仮設トイレ用支柱体１０と同様のものが好ましい。また、便器部３０についても、特に制限されず、市販品を利用することができる。
【００２９】
本実施形態に係る仮設トイレ用支柱体１０を用いて仮設トイレを設置するための開口部として適用できるマス（枡）は、住宅設備等において、台所、風呂、トイレ（水洗便器）等から排出される汚物を含んだ排水（汚水）を流すための配管上にある下水マスである。仮設トイレ用支柱体１０の下方部（第三の筒状物１３）を、上記の下水マスの開口部の大きさに合致した規格の径とすることで、容易に且つ安定して設置することが可能となる。
【００３０】
図６は、本実施形態に係る仮設トイレ用支柱体１０の使用例を示す。図６に示すように、本実施形態の仮設トイレ用支柱体１０をリング２０及び便器部３０とともに使用して、下水マスの開口部上方に設置した仮設トイレ４０とすることができる。かかる仮設トイレ４０があれば、特に災害時等はもとより、近くに通常のトイレが設置されていないような状況であっても、簡便に設置ができ、ポリタンクで汚水を溜める必要がなく、衛生的で非常に有用である。
【００３１】
本実施形態に係る仮設トイレ用支柱体１０を用いて仮設トイレ４０が立設された後には、例えば、ベニヤ板等の壁材によって囲うことにより、個室トイレとして利用できる。
【００３２】
本発明は、前述した実施形態に係る仮設トイレ用支柱体１０に限られず、本発明の趣旨を逸脱しない範囲で適宜変更形態とすることができる。
本発明の他の好ましい実施形態として、図７に示すように、全体の外観が前述した仮設トイレ用支柱体１０と同様のもので、第二の筒状物１２及び第三の筒状物１３の中空内部を第一の筒状物１１が下方向に延出し、第二の筒状物１２の上部で接触しながら第一の筒状物１１がスライド式に移動できる構造を備えた仮設トイレ用支柱体５０が挙げられる。この支柱体５０における第二の筒状物１２の上部には、第一の筒状物１１が容易に可動するよう緩める又は固定するよう締める機能を備えており、例えば、筒状物１１を回転させる等によりその機能を発揮できる。
【００３３】
このような仮設トイレ支柱体５０を使用すれば、第一の筒状物１１のみでマス開口部に近付けて汚水を放出できるため、前述した仮設トイレ用支柱体１０と同様に立設時の安定性を保ちながら、漏れをより一層抑止させることができる。また、支柱体５０の全体の高さ調整ができるため、使用時や運搬時の使い勝手が非常に良好となる。さらに、必要に応じて第一の筒状物１１の不要になった箇所を切除しても、何度でも使用を継続することができる。なお、かかる支柱体５０において特に詳述しない点は、前述した支柱体１０と同様でありその構成が適宜適用される。
【産業上の利用可能性】
【００３４】
本発明は、設置が簡便で、且つ、漏れや詰まりがなく衛生的な仮設トイレ用の支柱体、及びこれを用いた仮設トイレとして、産業上の利用可能性を有する。
【符号の説明】
【００３５】
１０…仮設トイレ用支柱体
１１…第一の筒状物
１２…第二の筒状物
１３…第三の筒状物
Ｂ…底部
２０…リング
３０…便器部
４０…仮設トイレ
Ｏ…マス開口部
５０…仮設トイレ用支柱体（第一の筒状物スライド移動式）
【要約】
【課題】設置が簡便で、且つ、漏れや詰まりがなく衛生的な仮設トイレ用の支柱体、及びこれを用いた仮設トイレを提供する。
【解決手段】仮設トイレ用支柱体１０は、内部が中空の筒状物からなり、該筒状物の重量が上方から下方にかけて大きくなるように構成される。仮設トイレ用支柱体１０を用いてリング２０及び便器部３０と組み立てることにより、下水マスの開口部上方に仮設トイレを立設する。
【選択図】  図１【図１】
0005905990.tif 000002
【図２】
0005905990.tif 000003
【図３】
0005905990.tif 000004
【図４】
0005905990.tif 000005
【図５】
0005905990.tif 000006
【図６】
0005905990.tif 000007
【図７】
0005905990.tif 000008